(57)【要約】【課題】誘導加熱コイルの動作状態をＬＥＤの光源によって発光する導光板を利用して、赤外線によって換気扇の運転を制御するものであり、表示器の多機能利用を可能ならしめ、また表示器は誘導加熱コイルの動作状態の表示と共に、換気扇のみを運転したときの状態を表示器にて特定の発光色で表示できるようにして、誘導加熱コイルの動作状態と、換気扇のみの運転状態が視覚的に区別できるようにするものである。【解決手段】帯状導光体の端部から発する可視光線光源の光によって誘導加熱コイルの動作状態を表示する表示器ＨＰを備えた電磁調理器と、電磁調理器の上方に換気扇と赤外線の受光部を備えた換気扇ユニットを設け、帯状導光体には、その端部に設けた赤外線光源の発する赤外線が受光部に向けて反射する反射部を設け、受光部が受ける赤外線によって換気扇の運転を制御すること。【選択図】図７
2009099365.tif 000002
【特許請求の範囲】
【請求項１】
調理容器を載置する天板と、この天板の下方に配置した誘導加熱コイルと、前記天板上
面から視覚可能に配置された帯状導光体の端部から放射される可視光線光源の光によって
前記誘導加熱コイルの動作状態を表示する表示器を備えた電磁調理器と、前記電磁調理器
の上方に換気扇と赤外線の受光部を備えた換気扇ユニットが設けられ、前記帯状導光体の
端部に赤外線光源が設けられ、前記帯状導光体は前記赤外線光源の発する赤外線が前記受
光部に向けて反射される反射部を備え、前記受光部が受ける赤外線によって前記換気扇の
運転を制御することを特徴とする電磁調理装置。
【請求項２】
前記帯状導光体は、その端部から放射される可視光線光源の光が上方へ反射されるテー
パ面を備えた反射溝が長手方向に間隔を存して複数形成され、前記赤外線光源から放射さ
れる赤外線が前記テーパ面によって上方へ反射されて記受光部に到達する構成であること
を特徴とする請求項１に記載の電磁調理装置。
【請求項３】
前記誘導加熱コイルの通電をＯＮ−ＯＦＦ制御する加熱制御用スイッチに基づき前記赤
外線光源の赤外線の放射が制御される制御部を備え、前記制御部の動作にて、前記誘導加
熱コイルの通電ＯＮにて前記換気扇が運転され、前記誘導加熱コイルの通電ＯＦＦにて前
記換気扇が停止することを特徴とする請求項１または２に記載の電磁調理装置。
【請求項４】
前記誘導加熱コイルの通電をＯＮ−ＯＦＦ制御する加熱制御用スイッチに基づき前記赤
外線光源の赤外線の放射が制御される制御部を備え、前記制御部には前記換気扇のみをＯ
Ｎ−ＯＦＦ制御する換気扇用スイッチを備え、前記制御部の動作にて、前記誘導加熱コイ
ルの通電ＯＮにて前記換気扇が運転され、前記誘導加熱コイルの通電ＯＦＦにて前記換気
扇が停止すると共に、前記換気扇用スイッチによる前記換気扇のＯＮ状態で前記可視光線
光源の発光色が所定の発光色となることを特徴とする請求項１乃至３のいずれかに記載の
電磁調理装置。
【請求項５】
前記誘導加熱コイルの通電をＯＮ−ＯＦＦ制御する加熱制御用スイッチに基づき前記赤
外線光源の赤外線の放射が制御される制御部を備え、前記制御部には前記換気扇のみをＯ
Ｎ−ＯＦＦ制御する換気扇用スイッチを備え、前記制御部の動作にて、前記誘導加熱コイ
ルの通電ＯＮにて前記換気扇が運転され、前記誘導加熱コイルの通電ＯＦＦにて前記換気
扇が停止すると共に、前記換気扇用スイッチによる前記換気扇のＯＮ状態で前記可視光線
光源の発光色が前記誘導加熱コイルの動作状態を表示する発光色とは異なる発光色となる
ことを特徴とする請求項１乃至３のいずれかに記載の電磁調理装置。
【発明の詳細な説明】
【技術分野】
【０００１】
本発明は、帯状導光体の端部から発する可視光線光源の光によって誘導加熱コイルの動
作状態を表示する表示器を備えた電磁調理器と、その上方に換気扇を備えた換気扇ユニッ
トが設けられた電磁調理装置に関し、特に前記帯状導光体を利用して赤外線によって前記
換気扇の運転を制御する電磁調理装置に関する。
【背景技術】
【０００２】
円弧帯状導光板の端部から発する可視光線光源の光によって誘導加熱コイルの動作状態
を表示する表示器を備えた電磁調理器がある。この円弧帯状導光板は、底面に階段状また
は逆Ｖ字状の反射溝を形成し、円弧帯状導光板の端部から発する可視光線光源の発光色に
よって、誘導加熱コイルの動作状態を表示するものであり、視覚的表示として好ましいも
のである。（特許文献１参照）。
【特許文献１】特開２００３−１９７３５７号公報
【発明の開示】
【発明が解決しようとする課題】
【０００３】
電磁調理器では種々の調理が行われるため、電磁調理器の上方に換気扇を備えた換気扇
ユニットが設けられるが、この換気扇の運転を制御する換気扇用スイッチは、電磁調理器
を組み込んだ調理台に設ける場合と、リモトコントローラに設ける場合があり、電磁調理
器の運転制御スイッチとは別個に設けられて換気扇の運転が制御される。
【０００４】
本発明は、赤外線によって換気扇の運転を制御する場合、誘導加熱コイルの動作状態を
表示する表示器の円弧帯状導光板を利用して、赤外線によって換気扇の運転を制御する技
術を提供するものであり、表示器の多機能利用を可能ならしめるものである。また、表示
器は誘導加熱コイルの動作状態を表示することはもちろんであるが、誘導加熱コイルは不
動作状態であるが換気扇のみを運転したときの状態を表示器にて特定の発光色で表示でき
るようにして、誘導加熱コイルの動作状態と、換気扇のみの運転状態が視覚的に区別でき
るようにするものである。これによって、誘導加熱コイルの動作状態を表示する表示器と
は別個に換気扇のみの運転状態を表示する表示器を設けなくてもよく、視覚的表示の向上
と、構成の簡素化が達成できるものである。
【課題を解決するための手段】
【０００５】
第１発明の電磁調理装置は、調理容器を載置する天板と、この天板の下方に配置した誘
導加熱コイルと、前記天板上面から視覚可能に配置された帯状導光体の端部から放射され
る可視光線光源の光によって前記誘導加熱コイルの動作状態を表示する表示器を備えた電
磁調理器と、前記電磁調理器の上方に換気扇と赤外線の受光部を備えた換気扇ユニットが
設けられ、前記帯状導光体の端部に赤外線光源が設けられ、前記帯状導光体は前記赤外線
光源の発する赤外線が前記受光部に向けて反射される反射部を備え、前記受光部が受ける
赤外線によって前記換気扇の運転を制御することを特徴とする。
【０００６】
第２発明の電磁調理装置は、第１発明において、前記帯状導光体は、その端部から放射
される可視光線光源の光が上方へ反射されるテーパ面を備えた反射溝が長手方向に間隔を
存して複数形成され、前記赤外線光源から放射される赤外線が前記テーパ面によって上方
へ反射されて記受光部に到達する構成であることを特徴とする。
【０００７】
第３発明の電磁調理装置は、第１発明または第２発明において、前記誘導加熱コイルの
通電をＯＮ−ＯＦＦ制御する加熱制御用スイッチに基づき前記赤外線光源の赤外線の放射
が制御される制御部を備え、前記制御部動作にて、前記誘導加熱コイルの通電ＯＮにて前
記換気扇が運転され、前記誘導加熱コイルの通電ＯＦＦにて前記換気扇が停止することを
特徴とする。
【０００８】
第４発明の電磁調理装置は、第１発明乃至第３発明のいずれかにおいて、前記誘導加熱
コイルの通電をＯＮ−ＯＦＦ制御する加熱制御用スイッチに基づき前記赤外線光源の赤外
線の放射が制御される制御部を備え、前記制御部には前記換気扇のみをＯＮ−ＯＦＦ制御
する換気扇用スイッチを備え、前記制御部の動作にて、前記誘導加熱コイルの通電ＯＮに
て前記換気扇が運転され、前記誘導加熱コイルの通電ＯＦＦにて前記換気扇が停止すると
共に、前記換気扇用スイッチによる前記換気扇のＯＮ状態で前記可視光線光源の発光色が
所定の発光色となることを特徴とする。
【０００９】
第５発明の電磁調理装置は、第１発明乃至第３発明のいずれかにおいて、前記誘導加熱
コイルの通電をＯＮ−ＯＦＦ制御する加熱制御用スイッチに基づき前記赤外線光源の発光
が制御される制御部を備え、前記制御部には前記換気扇のみをＯＮ−ＯＦＦ制御する換気
扇用スイッチを備え、前記制御部の動作にて、前記誘導加熱コイルの通電ＯＮにて前記換
気扇が運転され、前記誘導加熱コイルの通電ＯＦＦにて前記換気扇が停止すると共に、前
記換気扇用スイッチによる前記換気扇のＯＮ状態で前記可視光線光源の発光色が前記誘導
加熱コイルの動作状態を表示する発光色とは異なる発光色となることを特徴とする。
【発明の効果】
【００１０】
第１発明は、赤外線によって換気扇の運転を制御する場合、誘導加熱コイルの動作状態
を表示する表示器の帯状導光板の端部に赤外線光源を設け、帯状導光板にはこの赤外線光
源の発する赤外線が換気扇ユニットに設けた受光部に向けて反射される反射部を設けるこ
とによって、誘導加熱コイルの動作状態を表示する表示器を利用して、赤外線による換気
扇の運転を制御することができるものとなる。これによって、表示器は誘導加熱コイルの
動作状態を表示することはもちろんであるが、換気扇の運転制御をこの表示器を介して行
うことができ、表示器の多機能利用が可能となる。
【００１１】
第２発明は、第１発明の効果に加えて、赤外線光源から放射される赤外線が、帯状導光
体の端部から放射される可視光線光源の光が上方へ反射されるテーパ面を利用して、上方
へ反射し受光部に到達する構成であるため、帯状導光体の構成が簡素化される。また、赤
外線の反射部となるテーパ面は複数であるため、赤外線光源の発する赤外線を換気扇ユニ
ットに設けた受光部に向けて反射する動作が安定し、赤外線光源の発光制御に基づく換気
扇のＯＮ−ＯＦＦ制御が安定して行えるものとなる。
【００１２】
第３発明では、第１発明または第２発明の効果に加えて、誘導加熱コイルの通電ＯＮ―
ＯＦＦに伴って、赤外線光源の発する赤外線によって換気扇がＯＮ―ＯＦＦ運転されるた
め、表示器による誘導加熱コイルの動作状態の表示と連動して制御できるものとなる。
【００１３】
第４発明では、第１発明乃至第３発明のいずれかの効果に加えて、誘導加熱コイルは通
電ＯＦＦであるが、換気扇のみ運転された状態が、誘導加熱コイルの動作状態を表示する
表示器に可視光線光源の所定の発光色によって表示できるため、利用者は視覚的にその状
態を把握できると共に、誘導加熱コイルの動作状態を表示する表示器とは別個に換気扇の
みの運転状態を表示する表示器を設けなくてもよく、構成の簡素化が達成できるものであ
る。
【００１４】
第５発明では、第４発明の効果に加えて、換気扇のみの運転状態は、誘導加熱コイルの
動作状態を表示する表示器の表示を、誘導加熱コイルの動作状態を表示する発光色とは異
なる発光色で表示されるため、利用者は視覚的にその状態を把握でき、視覚的表示の向上
と、構成の簡素化が達成できるものである。
【発明を実施するための最良の形態】
【００１５】
本発明の電磁調理装置は、調理容器を載置する天板と、この天板の下方に配置した誘導
加熱コイルと、前記天板上面から視覚可能に配置された帯状導光体の端部から放射される
可視光線光源の光によって前記誘導加熱コイルの動作状態を表示する表示器を備えた電磁
調理器と、前記電磁調理器の上方に換気扇と赤外線の受光部を備えた換気扇ユニットが設
けられ、前記帯状導光体の端部に赤外線光源が設けられ、前記帯状導光体は前記赤外線光
源の発する赤外線が前記受光部に向けて反射される反射部を備え、前記受光部が受ける赤
外線によって前記換気扇の運転を制御するものであり、以下に、本発明の実施例を記載す
る。
【実施例１】
【００１６】
本発明に係る電磁調理装置の実施形態について説明する。図１は本発明に係る電磁調理
器の正面斜視図、図２は本発明に係る電磁調理器の加熱状態表示器ＨＰと誘導加熱コイル
の部分の縦断面図、図３は本発明に係る円弧帯状導光体と光源の関係を示す斜視図、図４
は本発明に係る円弧帯状導光体の発光状態を示す斜視図、図５は本発明に係る導光体の階
段状反射溝の説明図、図６は本発明に係る導光体の逆Ｖ字状反射溝の説明図、図７は本発
明に係る電磁調理装置ＫＵを説明する側面図、図８は本発明に係る電磁調理装置の制御装
置の構成図である。
【００１７】
本発明に係る電磁調理装置の実施例を図に基づき説明すると、１は例えばシステムキッ
チンＳＫ等にドロップイン方式にて組み込んで使用する電磁調理器であり、上面に耐熱ガ
ラス製の天板２を備え、この天板２の下方に熱源となる左右一対の円盤状の誘導加熱コイ
ル３、３とその奥側に電熱コイル式ヒータ４が内蔵されている。天板２の上面には、熱源
３、３及び４にそれぞれ対応する位置に、鍋等の調理容器を載置する場所を明示するため
に、円形状の調理容器載置部８、８及び９が印刷などによって表示されている。また、電
磁調理器１の前面右側には各種の操作スイッチ５Ａを備えた操作パネル５を配置し、操作
パネル５の左側にはグリル６用の引き出し式扉７を配置している。電磁調理器１の上方に
は、換気扇３１と赤外線受光部３２を備えた換気扇ユニット３０が設けられ、電磁調理器
１と換気扇ユニット３０とで電磁調理装置ＫＵを構成している。換気扇３１はシロッコフ
ァンを電動機３１Ａで駆動する形態であるが、これに限らず遠心ファンを電動機３１Ａで
駆動する形態であってもよい。
【００１８】
誘導加熱コイル３、３の周囲の手前側には、誘導加熱コイル３、３を支持するコイル台
１１の側面との間に所定間隔Ａを存して黒色の合成樹脂の成形等によって上面開口の凹状
の収納溝１４を形成した導光体ケース１２をビス等によりコイル台１１の側面またはコイ
ル台１１を支持する支持部材２５等に固定している。導光体ケース１２の凹状の収納溝１
４には、横断側面形状が四角形をなす円弧帯状の透明樹脂材等（例えば、アクリル樹脂）
により形成した導光体１５を収納している。円弧帯状導光体１５は、調理容器載置部８、
８の外周部から視覚可能に配置される。このための構成として、天板２には調理容器載置
部８、８の外周部の手前側に円弧状の透光窓１７が形成され、この透光窓１７の真下に導
光体１５が配置されるように導光体ケース１２が取り付けられている。導光体１５は、調
理容器載置部８、８の手前側に横方向に延びた直線状でもよいが、円弧帯状とすることに
よって、デザイン的にも好ましいものとなる。透光窓１７は、例えば、耐熱ガラス製の天
板２の一部分を透明部とすることによって形成される。
【００１９】
導光体１５は、その長手方向の略中心部の肉厚が最も薄くなるような反射溝１８が間隔
を存して複数形成され、左右両端部に光源２０を配置している。反射溝１８は、前記略中
心部の肉厚が最も薄くなるような階段状の反射溝１８Ａであるものと、逆Ｖ字状の反射溝
１８Ｂであるもののいずれでもよい。光源２０は、誘導加熱コイル８、８の動作状態を表
示するための可視光線光源１９を有し、可視光線光源１９は、それぞれ一対または一組の
可視光線を発するものとして、例えば、赤色光を発するＬＥＤ（発光ダイオード）１９Ｒ
と緑色光を発するＬＥＤ（発光ダイオード）１９Ｇを備えている。
【００２０】
階段状の反射溝１８Ａは、各段部２１の境界部分に可視光線光源１９から放射される光
の反射角が略９０度となるテーパ面２２を形成し、また、逆Ｖ字状の反射溝１８Ｂは、そ
の左右両面が可視光線光源１９から放射される光の反射角が略９０度となるテーパ面２２
を形成している。テーパ面２２によって反射された光の輝度が他の部分より高くなり、導
光体１５の上面の発光面２３にストライプ模様２９を描き、視覚効果を向上させる。この
ように、導光体ケース１２に収納された円弧帯状導光体１５が、端部から発する可視光線
光源１９の光によって発光し、その状態を調理容器載置部８の外周部から視覚できるよう
に配置され、円弧帯状導光体１５の発光によって誘導加熱コイル３の動作状態を表示する
加熱状態表示器ＨＰを構成している。
【００２１】
光源２０は、可視光線光源１９の他に赤外線光源１９０を備えている。赤外線光源１９
０は、導光体１５の長手方向の左右両端部に可視光線光源１９と共に配置され、赤外線受
光部３２が受ける赤外線を発するものとして、ＬＥＤ（発光ダイオード）１９０を備えて
いる。赤外線光源１９０から放射される赤外線は、階段状の反射溝１８Ａの場合は、その
テーパ面２２によって略９０度反射されて、換気扇ユニット３０に設けた赤外線受光部３
２に到達して受光される。また、逆Ｖ字状の反射溝１８Ｂの場合は、そのテーパ面２２に
よって略９０度反射されて、換気扇ユニット３０に設けた赤外線受光部３２に到達して受
光される。このため、テーパ面２２は、赤外線光源１９０から放射される赤外線を上方へ
略９０度反射する反射面である。この反射面は、加熱状態表示器ＨＰの可視光線光源１９
から放射される光の反射面２２を利用しているため、加熱状態表示器ＨＰの表示状態を変
えることなく、その構成が簡素化されたものとなる。また、赤外線は反射面となるテーパ
面２２の複数によって反射されるため、一つのテーパ面２２にて反射される赤外線光源１
９０の発する赤外線を受光部３２が受ける場合に比して、受光動作が安定し、赤外線光源
１９０の発光制御に基づく換気扇３１のＯＮ−ＯＦＦ制御が安定して行えるものとなる。
【００２２】
可視光線光源１９と赤外線光源１９０は、導光体１５の左右端部に配置しているが、こ
れら光源の発光強度が大きい場合は一端側のみでもよい。また、可視光線光源１９と赤外
線光源１９０は、一つのホルダに取り付ければ、導光体１５に対する正規配置への取り付
けが容易となる。また、赤外線光源１９０は、赤外線を発するＬＥＤ（発光ダイオード）
１９０を複数（例えば２〜３個）設け、これらから放射される赤外線が導光体１５の複数
の反射面２２によって上方へ反射されることによって、何らかの状態で一つの反射面２２
で反射される赤外線が塞がれた場合（例えば、利用者の手や片手持ち柄鍋の柄によって塞
がれた場合）でも、他の反射面２２で反射される赤外線が受光部３２に到達するため、換
気扇３１のＯＮ−ＯＦＦ制御が安定して行えるものとなる。更にまた、受光部３２を複数
設け、その中の一つが複数の反射面２２から反射される赤外線を受光したことに基づき、
換気扇３１のＯＮ−ＯＦＦ制御を行うようにすれば、更に安定した動作が得られるものと
なる。
【００２３】
赤外線受光部３２が受ける赤外線によって換気扇３１の運転が制御される。操作パネル
５には、誘導加熱コイル３、３の通電をＯＮ−ＯＦＦ制御する加熱制御用スイッチ３３Ｌ
、３３Ｒと、換気扇３１のみをＯＮ−ＯＦＦ制御する換気扇用スイッチ３４が設けられて
いる。加熱制御用スイッチ３３Ｌ、３３Ｒ、並びに換気扇用スイッチ３４に基づき、赤外
線光源１９０の赤外線の放射（赤外線光源１９０のＯＮ）が制御される制御部４０を備え
ている。制御部４０は、操作パネル５に設けた各種の操作スイッチ５Ａによって、誘導加
熱コイル３、３と電熱コイル式ヒータ４の通電制御を行う機能を備える制御部の一部機能
であってもよく、またこれとは別個に設けた制御部であってもよい。
【００２４】
制御部４０の動作により、例えば左側の誘導加熱コイル３の通電がＯＮとなり、操作パ
ネル５に設けた誘導加熱コイル３の加熱力を「強」、「中」、「弱」に切り替えるスイッ
チの操作によって、「強」の状態では可視光線光源１９の赤色発光ＬＥＤ１９Ｒが点灯し
て赤色を発光し、また「中」の状態では可視光線光源１９の赤色発光ＬＥＤ１９Ｒと緑色
発光ＬＥＤ１９Ｇが同時点灯してオレンジ色を発光し、また「弱」の状態では可視光線光
源１９の緑色発光ＬＥＤ１９Ｇが点灯して緑色を発光する。右側の誘導加熱コイル３の通
電の場合も同様である。
【００２５】
また、制御部４０の動作により、誘導加熱コイル３、３の通電ＯＮにて、赤外線光源１
９０が所定時間（略瞬時）赤外線を放射し、この赤外線を赤外線受光部３２が受けること
によって、換気扇ユニット３０に設けた換気扇制御部４１によって換気扇３１を運転する
。また、上記のように誘導加熱コイル３の加熱力を「強」、「中」、「弱」に切り替える
スイッチ操作ごとに赤外線光源１９０が所定時間（略瞬時）赤外線を放射し、この赤外線
を赤外線受光部３２が受けることによって、換気扇制御部４１が動作して換気扇３１の運
転も、誘導加熱コイル３の「強」、「中」、「弱」の切り替えに対応して「強」、「中」
、「弱」に切り替わるように制御される。更に、誘導加熱コイル３、３の通電ＯＦＦにて
、赤外線光源１９０が所定時間（略瞬時）赤外線を放射し、この赤外線を赤外線受光部３
２が受けることによって、換気扇制御部４１が動作して換気扇３１を停止する。
【００２６】
また、誘導加熱コイル３、３の通電はＯＦＦであるが、換気扇用スイッチ３４にて換気
扇３１を運転する場合がある。また、誘導加熱コイル３、３の通電はＯＦＦであるが、操
作パネル５の操作スイッチ５Ａのヒータ４用スイッチ５Ｈの操作によって電熱コイル式ヒ
ータ４に通電して調理するとき、ヒータ４用スイッチ５ＨのＯＮに基づき、換気扇３１が
運転される場合がある。または換気扇用スイッチ３４のＯＮに基づく制御部４０の動作に
より、赤外線光源１９０が所定時間（略瞬時）赤外線を放射し、この赤外線を赤外線受光
部３２が受けることによって、換気扇制御部４１によって換気扇３１が運転される場合が
ある。このような場合、換気扇３１がＯＮ状態（運転状態）になると、可視光線光源１９
の発光色が所定の発光色（例えば、緑色）となるように、制御部４０が可視光線光源１９
のＬＥＤの発光を制御する。これによって換気扇３１のみがＯＮ状態（運転状態）である
ことも明示できることとなる。
【００２７】
なお、換気扇用スイッチ３４は、ＯＮ操作ごとに赤外線光源１９０が所定時間（略瞬時
）赤外線を放射し、この赤外線を赤外線受光部３２が受けることによって換気扇３１が「
強」、「中」、「弱」、「ＯＦＦ」の運転状態に切り替わるように制御部４０によって制
御される。この場合、換気扇用スイッチ３４のＯＮ操作ごとに赤外線光源１９０が所定時
間（略瞬時）赤外線を放射し、この赤外線を赤外線受光部３２が受けることによって換気
扇３１が「強」、「中」、「弱」に順次切り替わり、換気扇３１をＯＦＦにするＯＦＦス
イッチを別個に設けて、このＯＦＦスイッチの操作によって赤外線光源１９０が所定時間
（略瞬時）赤外線を放射し、この赤外線を赤外線受光部３２が受けることによって、換気
扇３１を停止するように制御部４０によって制御する構成でもよい。
【００２８】
また、誘導加熱コイル３、３の通電はＯＦＦであるが、換気扇用スイッチ３４にて換気
扇３１のみがＯＮ状態（運転状態）になると、可視光線光源１９の発光色が誘導加熱コイ
ル３、３の動作状態を表示する発光色とは異なる発光色（例えば、青色）となるように、
制御部４０が可視光線光源１９にもう一つのＬＥＤ、例えば青色発光ＬＥＤを設けること
ができる。これによって、可視光線光源１９は、赤色発光ＬＥＤ１９Ｒと緑色発光ＬＥＤ
１９Ｇに青色発光ＬＥＤが加わり、これらがそれぞれ単独点灯することによる発光色と、
これらの選択された二つが同時点灯することによる発光色を作ることができる。
【００２９】
このため、操作パネル５に設けた加熱力を「強」、「中」、「弱」に切り替えるスイッ
チの操作によって、「強」の状態、「中」の状態、「弱」の状態での発光色を異ならしめ
、且つ、上記のように換気扇３１のみがＯＮ状態（運転状態）のときの発光色を、これら
加熱力に表示の発光と異なる発光色とすることが容易となり、誘導加熱コイル３、３の通
電状態の表示と、換気扇３１のみがＯＮ状態（運転状態）のときの表示を異なる発光色に
よって区別でき、電磁調理装置ＫＵがいずれの動作状態であるかを利用者が視覚的に判断
し易くなり、電磁調理装置ＫＵの取り扱いにおいて安全である。
【産業上の利用可能性】
【００３０】
電磁調理装置ＫＵは上記実施例に示した構成に限定されず、種々の形態のものに適用で
きるものであり、本発明の技術範囲において種々の形態を包含するものである。
【図面の簡単な説明】
【００３１】
【図１】本発明に係る電磁調理器の正面斜視図である。（実施例１）
【図２】本発明に係る電磁調理器の加熱状態表示器と誘導加熱コイルの部分の縦断面図である。（実施例１）
【図３】本発明に係る円弧帯状導光体と光源の関係を示す斜視図である。（実施例１）
【図４】本発明に係る円弧帯状導光体の発光状態を示す斜視図である。（実施例１）
【図５】本発明に係る導光体の階段状反射溝の説明図である。（実施例１）
【図６】本発明に係る導光体の逆Ｖ字状反射溝の説明図である。（実施例１）
【図７】本発明に係る電磁調理装置を説明する側面図である。（実施例１）
【図８】本発明に係る電磁調理装置の制御装置の構成図である。（実施例１）
【符号の説明】
【００３２】
１・・・・電磁調理器
２・・・・天板
３・・・・誘導加熱コイル
４・・・・電熱コイル式ヒータ
５・・・・操作パネル
５Ａ・・・操作スイッチ
６・・・・グリル
８、９・・調理容器載置部
１５・・・円弧帯状導光体
１７・・・円弧状の透光窓
１８・・・反射溝
１８Ａ・・階段状の反射溝
１８Ｂ・・逆Ｖ字状の反射溝
１９・・・可視光線光源
１９Ｒ・・赤色光を発するＬＥＤ（発光ダイオード）
１９Ｇ・・緑色光を発するＬＥＤ（発光ダイオード）
２０・・・光源
３０・・・換気扇ユニット
３１・・・換気扇
３２・・・赤外線受光部
３３Ｌ、３３Ｒ・・・加熱制御用スイッチ
３４・・・換気扇用スイッチ
４０・・・制御部
４１・・・換気扇制御部
１９０・・赤外線光源
ＨＰ・・・加熱状態表示器
ＫＵ・・・電磁調理装置
【図１】
2009099365.tif 000003
【図２】
2009099365.tif 000004
【図３】
2009099365.tif 000005
【図４】
2009099365.tif 000006
【図５】
2009099365.tif 000007
【図６】
2009099365.tif 000008
【図７】
2009099365.tif 000009
【図８】
2009099365.tif 000010